【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
局によるワイヤレス通信の方法であって、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
ＢＳＳＩＤのリストまたは色情報を備えるインジケーションにおいて示される、前記パケットに関連付けられた前記ＢＳＳＩＤまたは前記色に基づいて、前記チャネル上での送信を延期すべきかどうかを決定することと
を備え、
前記パケットに関連付けられた前記ＢＳＳＩＤまたは前記色が、前記ＢＳＳＩＤのリスト中でまたは前記色情報中で示されるときに、前記送信は、延期され、
前記パケットに関連付けられた前記ＢＳＳＩＤまたは前記色が、前記ＢＳＳＩＤのリスト中でまたは前記色情報中で示されないときに、前記送信は、延期されない、
方法。
【請求項２】
送信を延期すべきかどうかを前記決定することは、前記パケットに関連付けられた前記ＢＳＳＩＤまたは前記色が、前記ＢＳＳＩＤのリスト中でまたは前記色情報中で示されるときに、前記パケットがそれの上で受信された前記チャネル上で予約された時間期間の間、送信を阻止することを決定することを備え、前記時間期間が、前記パケット中で示される持続時間よりも小さいかまたはそれに等しい、
請求項１に記載の方法。
【請求項３】
送信を延期しないという前記決定に基づいて前記パケットをドロップすることをさらに備え、前記ドロップすることは、前記パケットを廃棄することと、前記パケットに基づいてネットワーク割振りベクトルを設定しないこととを備える、
請求項１に記載の方法。
【請求項４】
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
請求項１に記載の方法。
【請求項５】
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
請求項１に記載の方法。
【請求項６】
前記局に関連付けられたアクセスポイントから前記インジケーションを受信することをさらに備え、前記インジケーションは、前記アクセスポイントからの関連付け応答中で、前記アクセスポイントからの管理フレームから、または前記アクセスポイントからのビーコンから受信される、
請求項１に記載の方法。
【請求項７】
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
請求項１に記載の方法。
【請求項８】
局によるワイヤレス通信の方法であって、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
ＢＳＳＩＤのリストまたは色情報を備えるインジケーションにおいて示される、前記パケットに関連付けられた前記ＢＳＳＩＤまたは前記色に基づいて、前記チャネル上での送信を延期すべきかどうかを決定することと
を備え、
前記パケットに関連付けられた前記ＢＳＳＩＤまたは前記色が、前記ＢＳＳＩＤのリスト中でまたは前記色情報中で示されないときに、前記送信は、延期され、
前記パケットに関連付けられた前記ＢＳＳＩＤまたは前記色が、前記ＢＳＳＩＤのリスト中でまたは前記色情報中で示されるときに、前記送信は、延期されない、
方法。
【請求項９】
アクセスポイントによるワイヤレス通信の方法であって、
前記アクセスポイントに関連付けられた基本サービスセット（ＢＳＳ）中の１つまたは複数の局によって、それのパケットが従わされるべきである少なくとも１つのＢＳＳを決定することと、
前記少なくとも１つのＢＳＳのインジケーションを前記１つまたは複数の局に送信することと
を備え、前記インジケーションは、
前記１つまたは複数の局がそれへの送信を、延期すべきであるかまたはそれへの送信を延期すべきでないＢＳＳＩＤのリスト、あるいは
前記１つまたは複数の局がそれへの送信を、延期すべきであるかまたはそれへの送信を延期すべきでないＢＳＳを識別する１つまたは複数の色を備える色情報
のうちの１つを含む、方法。
【請求項１０】
従わされるべき前記少なくとも１つのＢＳＳは、従わされるべき前記少なくとも１つのＢＳＳに関連付けられたデバイスから前記アクセスポイントにおいて受信された信号の信号強度に基づいて決定される、
請求項９に記載の方法。
【請求項１１】
従わされるべき前記少なくとも１つのＢＳＳは、前記ＢＳＳと従わされるべき前記少なくとも１つのＢＳＳとの間の距離に基づいて決定される、
請求項９に記載の方法。
【請求項１２】
従わされるべき前記少なくとも１つのＢＳＳは、前記ＢＳＳと従わされるべき前記少なくとも１つのＢＳＳとの間のネゴシエーションを通して決定される、
請求項１０に記載の方法。
【請求項１３】
前記インジケーションは、関連付け応答中で、管理フレーム中で、またはビーコンフレーム中で、前記１つまたは複数の局に送信される、
請求項９に記載の方法。
【請求項１４】
ワイヤレス通信のための局であって、
メモリと、
前記メモリに結合された少なくとも１つのプロセッサと
を備え、前記少なくとも１つのプロセッサは、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
ＢＳＳＩＤのリストまたは色情報を備えるインジケーションにおいて示される、前記パケットに関連付けられた前記決定されたＢＳＳＩＤまたは前記決定された色に基づいて、前記チャネル上での送信を延期すべきかどうかを決定することと
を行うように構成され、
前記パケットに関連付けられた前記ＢＳＳＩＤまたは前記色が、前記ＢＳＳＩＤのリスト中でまたは前記色情報中で示されるときに、前記送信は、延期され、
前記パケットに関連付けられた前記ＢＳＳＩＤまたは前記色が、前記ＢＳＳＩＤのリスト中でまたは前記色情報中で示されないときに、前記送信は、延期されない、
局。
【請求項１５】
前記少なくとも１つのプロセッサは、前記パケットに関連付けられた前記ＢＳＳＩＤまたは前記色が、前記ＢＳＳＩＤのリスト中にまたは前記色情報中にあるときに、前記パケットがそれの上で受信された前記チャネル上で予約された時間期間の間、送信を延期することを決定することによって、送信を延期すべきかどうかを決定するように構成され、前記時間期間は、前記パケット中で示される持続時間よりも小さいかまたはそれに等しい、
請求項１４に記載の局。
【請求項１６】
前記少なくとも１つのプロセッサが、送信を延期しないという前記決定に基づいて、前記パケットを廃棄することによって、および前記パケットに基づいてネットワーク割振りベクトルを設定しないことによって、前記パケットをドロップするようにさらに構成される、
請求項１４に記載の局。
【請求項１７】
前記ＢＳＳＩＤのリストは、同じアクセスポイントに関連付けられた複数のＢＳＳＩＤを含み、前記ＢＳＳＩＤのリストは、それへの送信が従わされるべきであるかまたはそれへの送信が従わされるべきでないＢＳＳＩＤを示す、
請求項１４に記載の局。
【請求項１８】
前記局は、第１のアクセスポイントに関連付けられ、前記ＢＳＳＩＤのリストは、前記第１のアクセスポイントとコロケートされた第２のアクセスポイントに関連付けられた少なくとも１つのＢＳＳＩＤを含み、前記ＢＳＳＩＤのリストは、パケットが前記少なくとも１つのＢＳＳＩＤから受信された場合に、送信を延期するように前記局に命令する、
請求項１４に記載の局。
【請求項１９】
前記少なくとも１つのプロセッサは、前記局に関連付けられたアクセスポイントから前記インジケーションを受信するように構成され、前記インジケーションは、前記アクセスポイントからの関連付け応答中で、前記アクセスポイントからの管理フレームから、または前記アクセスポイントからのビーコンから受信される、
請求項１４に記載の局。
【請求項２０】
前記色情報は、それへの送信が従わされるべきであるかまたはそれへの送信が従わされるべきでない１つまたは複数の基本サービスセットに対応する１つまたは複数の色を備えるか、あるいは、前記色情報中に含まれる色が、複数の基本サービスセットまたは複数のアクセスポイントに関連付けられる、
請求項１４に記載の局。
【請求項２１】
ワイヤレス通信のための局であって、
メモリと、
前記メモリに結合された少なくとも１つのプロセッサと
を備え、前記少なくとも１つのプロセッサは、
チャネル上で、ワイヤレスデバイスからパケットを受信することと、
前記受信されたパケットに関連付けられた、基本サービスセット識別子（ＢＳＳＩＤ）または基本サービスセットを識別する色を決定することと、
ＢＳＳＩＤのリストまたは色情報を備えるインジケーションにおいて示される、前記パケットに関連付けられた前記決定されたＢＳＳＩＤまたは前記決定された色に基づいて、前記チャネル上での送信を延期すべきかどうかを決定することと
を行うように構成され、
前記パケットに関連付けられた前記ＢＳＳＩＤまたは前記色が、前記ＢＳＳＩＤのリスト中でまたは前記色情報中で示されないときに、前記送信は、延期され、
前記パケットに関連付けられた前記ＢＳＳＩＤまたは前記色が、前記ＢＳＳＩＤのリスト中でまたは前記色情報中で示されるときに、前記送信は、延期されない、
局。
【請求項２２】
ワイヤレス通信のためのアクセスポイントであって、
メモリと、
前記メモリに結合された少なくとも１つのプロセッサと
を備え、前記少なくとも１つのプロセッサは、
前記アクセスポイントに関連付けられた基本サービスセット（ＢＳＳ）中の１つまたは複数の局によって、それのパケットが従わされるべきである少なくとも１つのＢＳＳを決定することと、
前記少なくとも１つのＢＳＳのインジケーションを前記１つまたは複数の局に送信することと
を行うように構成され、前記インジケーションは、
前記１つまたは複数の局がそれへの送信を延期すべきであるかまたはそれへの送信を延期すべきでないＢＳＳＩＤのリスト、あるいは
前記１つまたは複数の局がそれへの送信を延期すべきであるかまたはそれへの送信を延期すべきでないＢＳＳを識別する１つまたは複数の色を備える色情報
のうちの１つを含む、アクセスポイント。
【請求項２３】
従わされるべき前記少なくとも１つのＢＳＳは、従わされるべき前記少なくとも１つのＢＳＳに関連付けられたデバイスから前記アクセスポイントにおいて受信された信号の信号強度に基づいて決定される、
請求項２２に記載のアクセスポイント。
【請求項２４】
従わされるべき前記少なくとも１つのＢＳＳは、前記ＢＳＳと従わされるべき前記少なくとも１つのＢＳＳとの間の距離に基づいて決定される、
請求項２２に記載のアクセスポイント。
【請求項２５】
従わされるべき前記少なくとも１つのＢＳＳは、前記ＢＳＳと従わされるべき前記少なくとも１つのＢＳＳとの間のネゴシエーションを通して決定される、
請求項２２に記載のアクセスポイント。
【請求項２６】
前記インジケーションは、関連付け応答中で、管理フレーム中で、またはビーコンフレーム中で、前記１つまたは複数の局に送信される、
請求項２２に記載のアクセスポイント。